(57)【要約】【課題】伝送負荷を軽減しつつも、特定の画像撮影装置の電源をオン状態からオフ状態に切替可能な撮影制御システムを提供すること。【解決手段】実施形態の撮影制御システムは、複数の画像撮影装置と、複数のモニタ装置と、撮影サーバ装置とを含む。前記撮影サーバ装置は、記憶手段、読出手段、判定手段及び送出手段を備えている。前記判定手段は、前記読出手段により読出された状態情報内の電源情報がオン状態を示し、かつ当該読出された状態情報内の出力先情報が出力先のない旨を示す状態情報が存在するか否かを判定する。前記送出手段は、前記判定手段による判定の結果が存在する旨を示すとき、電源制御信号を送出する。前記各画像撮影装置は、前記送出された電源制御信号を受けると、当該電源制御信号に従って、当該画像撮影装置の電源をオン状態からオフ状態に切り替える。【選択図】図１
2013062591.tif 000002
【特許請求の範囲】
【請求項１】
複数の画像撮影装置と、前記各画像撮影装置から出力された画像信号に基づいて画像を表示するための複数のモニタ装置及び操作端末と、前記操作端末から書込まれた出力先情報に基づいて前記各画像撮影装置を制御するための撮影サーバ装置とを含む撮影制御システムであって、
前記撮影サーバ装置は、
前記各画像撮影装置を識別するための画像撮影装置ＩＤと、前記各画像撮影装置の電源がオン状態であるか又はオフ状態であるかを示す電源情報と、前記各画像撮影装置から出力される画像信号の出力先を示す前記出力先情報とを含む状態情報を記憶する記憶手段と、
一定時間毎に、前記記憶手段に記憶された状態情報を読出す読出手段と、
前記読出された状態情報内の電源情報がオン状態を示し、かつ当該読出された状態情報内の出力先情報が出力先のない旨を示す状態情報が存在するか否かを判定する判定手段と、
前記判定手段による判定の結果が存在する旨を示すとき、当該状態情報内の前記画像撮影装置ＩＤにより特定される画像撮影装置の電源をオン状態からオフ状態に切り替えるための電源制御信号を当該画像撮影装置に送出する送出手段と
を備え、
前記各画像撮影装置は、
前記送出された電源制御信号を受けると、当該電源制御信号に従って、当該画像撮影装置の電源をオン状態からオフ状態に切り替える切替手段を備えたことを特徴とする撮影制御システム。
【請求項２】
請求項１に記載の撮影制御システムにおいて、
前記各画像撮影装置は、
前記切替手段により電源をオン状態からオフ状態に切り替えると、当該電源をオフ状態に切り替えた旨を示す切替結果情報を前記撮影サーバ装置に送信する送信手段を更に備え、
前記撮影サーバ装置は、
前記送信された切替結果情報を受けると、当該切替結果情報に基づいて、前記記憶手段内の電源情報を更新する更新手段を更に備えたことを特徴とする撮影制御システム。
【発明の詳細な説明】
【技術分野】
【０００１】
本発明の実施形態は、撮影制御システムに関する。
【背景技術】
【０００２】
近年、監視カメラ等の複数の画像撮影装置が撮影対象を撮影し、当該撮影された画像を、ＩＰネットワークを介してマルチキャスト伝送させて複数のモニタ装置及び操作端末に当該画像を表示させる撮影制御システムがある。
【先行技術文献】
【特許文献】
【０００３】
【特許文献１】特開２００２−７７８８４号公報
【特許文献２】特開２００２−８４６７７号公報
【発明の概要】
【発明が解決しようとする課題】
【０００４】
しかしながら、以上のような撮影制御システムでは、画像をマルチキャスト伝送させることによって、画像を伝送する際に生じる伝送負荷を軽減させるが、撮影対象を撮影しない場合でも画像撮影装置の電源をオフ状態にすることができないという不都合がある。
【０００５】
本発明が解決しようとする課題は、伝送負荷を軽減しつつも、特定の画像撮影装置の電源をオン状態からオフ状態に切替可能な撮影制御システムを提供することである。
【課題を解決するための手段】
【０００６】
実施形態の撮影制御システムは、複数の画像撮影装置と、前記各画像撮影装置から出力された画像信号に基づいて画像を表示する複数のモニタ装置及び操作端末と、前記操作端末から書込まれた出力先情報に基づいて前記各画像撮影装置を制御するための撮影サーバ装置とを含む。
【０００７】
前記撮影サーバ装置は、記憶手段、読出手段、判定手段及び送出手段を備えている。
【０００８】
前記記憶手段は、前記各画像撮影装置を識別するための画像撮影装置ＩＤと、前記各画像撮影装置の電源がオン状態であるか又はオフ状態であるかを示す電源情報と、前記画像信号の出力先を示す前記出力先情報とを含む状態情報を記憶する。
【０００９】
前記読出手段は、一定時間毎に、前記記憶手段に記憶された状態情報を読出す。
【００１０】
前記判定手段は、前記読出された状態情報内の電源情報がオン状態を示し、かつ当該読出された状態情報内の出力先情報が出力先のない旨を示す状態情報が存在するか否かを判定する。
【００１１】
前記送出手段は、前記判定手段による判定の結果が存在する旨を示すとき、当該状態情報内の前記画像撮影装置ＩＤにより特定される画像撮影装置の電源をオン状態からオフ状態に切り替えるための電源制御信号を当該画像撮影装置に送出する。
【００１２】
前記各画像撮影装置は切替手段を備え、前記切替手段は、前記送出された電源制御信号を受けると、当該電源制御信号に従って、当該画像撮影装置の電源をオン状態からオフ状態に切り替える。
【図面の簡単な説明】
【００１３】
【図１】一実施形態に係る撮影制御システムの構成例を示す模式図である。
【図２】同実施形態における撮影サーバ装置の構成例を示す模式図である。
【図３】同実施形態における記憶部に記憶された状態情報の構成例を示す模式図である。
【図４】同実施形態における撮影サーバ装置の動作の一例を示すフローチャートである。
【発明を実施するための形態】
【００１４】
図１は、一実施形態に係る撮影制御システムの構成例を示す模式図である。撮影制御システム１は、複数の画像撮影装置１０１，１０２，…，１０ｎと、複数のモニタ装置２０２，２０３，…，２０ｍと、操作端末３０と、撮影サーバ装置４０とを含み、各画像撮影装置１０１〜１０ｎが、例えばネットワーク５０を介して、各モニタ装置２０２〜２０ｍと、操作端末３０と、撮影サーバ装置４０とに接続している。なお、ネットワーク５０は相互通信可能な回線で構成されており、例えば、ＬＡＮ（Local Area Network）及びイントラネット等が適用可能である。
【００１５】
なお、本実施形態では、撮影制御システム１内に１台の操作端末３０が含まれる構成としたが、これに限定されず、例えば、撮影制御システム１内に複数台の操作端末が含まれる構成等が適用可能である。
【００１６】
また以下では、説明の便宜上、代表例として、画像撮影装置１０１と、モニタ装置２０２との構成を主に説明するものとする。
【００１７】
ここで、画像撮影装置１０１は、撮影部１１１、エンコーダ部１２１、動作制御部１３１及び電源制御部１４１を備えている。
【００１８】
撮影部１１１は、画像撮影装置１０１が設置された周辺の画像を撮影する機能をもっている。また、撮影部１１１は、当該撮影された画像を示すアナログ画像信号をエンコーダ部１２１に送出する機能をもっている。
【００１９】
エンコーダ部１２１は、撮影部１１１から送出されたアナログ画像信号を受けると、当該受信したアナログ画像信号をデジタル画像信号に変換する機能をもっている（すなわち、Ａ／Ｄ変換器として機能する）。また、エンコーダ部１２１は、当該変換されたデジタル画像信号を、操作端末３０（後述するモニタ装置ＩＤ“モニタ装置１”に対応）と操作端末３０によって指定されたモニタ装置２０ｊ（但し、２≦ｊ≦ｍ）とに送出する機能をもっている。
【００２０】
動作制御部１３１は、撮影サーバ装置４０から送出される指示信号に従って、画像撮影装置１０１の動作（例えば、画像撮影装置１０１内のレンズ（図示せず）の拡大／縮小倍率の調整、画像撮影装置１０１の向きや角度の調整等）を制御する機能をもっている。
【００２１】
電源制御部１４１は、撮影サーバ装置４０から送出される電源制御信号に従って、画像撮影装置１１１の電源のオン状態とオフ状態（又は、スタンバイ状態）とを切り替える機能をもっている。また、電源制御部１４１は、画像撮影装置１１１の電源をオフ状態に切り替えると、画像撮影装置１１１の電源をオフ状態に切り替えた旨を示す切替結果情報を撮影サーバ装置４０に送出する機能をもっている。
【００２２】
モニタ装置２０２は、デコーダ部２１２及び表示部２２２を備えている。
【００２３】
デコーダ部２１２は、画像撮影装置１０１内のエンコーダ部１２１から送出されたデジタル画像信号を受けると、当該受信したデジタル画像信号をアナログ画像信号に変換する機能をもっている（すなわち、Ｄ／Ａ変換器として機能する）。また、デコーダ部２１２は、当該変換されたアナログ画像信号を表示部２２２に送出する機能をもっている。
【００２４】
なお、本実施形態では、モニタ装置２０２内にデコーダ部２１２が含まれる構成としたが、これに限定されず、例えば、１つのデコーダ装置と複数のモニタ装置とが接続される構成（すなわち、モニタ装置内にデコーダ部を含まない構成）等が適用可能である。
【００２５】
操作端末３０は、操作者の操作に従って、各種指示信号を撮影サーバ装置４０に送出する機能をもっている。各種指示信号としては、例えば、前述した画像撮影装置１０１等の動作（例、倍率・向き・角度など）を制御するための指示や、操作者の操作によって入力された出力先情報を記憶部４１ａに書込む指示が使用可能となっている。また、操作端末３０は、操作者の操作に従って、操作端末の図示しないディスプレイの表示画面を切り替えるための画面切替要求を撮影サーバ装置４０に送信する機能をもっている。更に、操作端末３０は、撮影サーバ装置４０から送信される画面情報を受けると、当該受信した画面情報を図示しないディスプレイに表示させる機能をもっている。
【００２６】
ここで、撮影サーバ装置４０は、図２に一例を示す如き、状態管理部４１、Ｗｅｂサーバ部４２、サーバ部４３及びＣＧＩ（Common Gateway Interface）部４４を備えている。なお、状態管理部４１は、記憶部４１ａと管理部４１ｂとを備えている。
【００２７】
記憶部４１ａは、図３に一例を示す如き、画像撮影装置ＩＤ、電源情報及び出力先情報を含む状態情報４１ｃを記憶している。ここで、画像撮影装置ＩＤは、ネットワーク５０を介して撮影サーバ装置４０に接続される画像撮影装置１０ｉ（但し、１≦ｉ≦ｎ）を識別するための識別情報を示す。また、電源（オン／オフ）情報は、画像撮影装置ＩＤ“ｉ”により特定される画像撮影装置１０ｉの電源の状態（すなわち、オン状態であるか又はオフ状態であるか）を示す。更に、出力先情報は、画像撮影装置ＩＤ“ｉ”により特定される画像撮影装置１０ｉから送出されるデジタル画像信号の出力先を示す。図３の例では、出力先情報として、モニタ装置ＩＤ“モニタ装置１”及び“モニタ装置ｊ”を用いており、モニタ装置ＩＤ“モニタ装置１”によって操作端末３０を出力先として示し、モニタ装置ＩＤ“モニタ装置ｊ”によってモニタ装置２０ｊ（但し、２≦ｊ≦ｍ）を出力先として示している。
【００２８】
管理部４１ｂは、一定時間毎に、記憶部４１ａに記憶された状態情報４１ｃを読出す機能をもっている。また、管理部４１ｂは、当該読出された状態情報４１ｃ内の電源情報がオン状態を示し、かつ当該読出された状態情報内の出力先情報が出力先のない旨を示す状態情報が存在するか否かを判定する判定機能をもっている。また、管理部４１ｂは、この判定機能による判定の結果が存在する旨を示すとき、当該状態情報内の画像撮影装置ＩＤ“ｉ”により特定される画像撮影装置１０ｉの電源をオン状態からオフ状態に切り替えるための電源制御信号をＷｅｂサーバ部４２に送出する機能をもっている。更に、管理部４１ｂは、画像撮影装置１０１内の電源制御部１４１から送出された切替結果情報を受けると、当該切替結果情報に基づいて、記憶部４１ａ内の電源情報を更新する機能をもっている。
【００２９】
Ｗｅｂサーバ部４２は、管理部４１ｂから送出された電源制御信号を受けると、当該電源制御信号を画像撮影装置１０１内の電源制御部１４１に送出する機能をもっている。また、Ｗｅｂサーバ部４２は、操作端末３０から送出された各種指示信号（例えば、エンコーダ部１２１がデジタル画像信号を出力する出力先を指定するための指示信号や画像撮影装置１０１内のレンズの拡大／縮小倍率を調整するための指示信号等）を画像撮影装置１０１に送出する機能をもっている。
【００３０】
サーバ部４３は、操作端末３０から送信された画面切替要求を受けると、当該画面切替要求をＣＧＩ部４４に送出する機能をもっている。また、サーバ部４３は、ＣＧＩ部４４から送出される画面情報を操作端末３０に送信する機能をもっている。
【００３１】
ＣＧＩ部４４は、サーバ部４３から送出された画面切替要求を受けると、当該画面切替要求に従って、操作端末３０のディスプレイに表示させるための画面情報を生成する機能をもっている。なお、ＣＧＩ部４４は、画面情報を生成する際に必要となる情報を図示しない端末情報ファイル記憶部から適宜読出し、当該読出された情報に基づいて画面情報を生成する。また、ＣＧＩ部４４は、当該生成された画面情報をサーバ部４３に送出する機能をもっている。
【００３２】
次に、以上のように構成された撮影サーバ装置の動作について、図３の模式図と、図４のフローチャートとを参照しながら説明する。
【００３３】
始めに、管理部４１ｂは、一定時間毎に、図３に一例を示すように、記憶部４１ａに記憶された状態情報４１ｃを読出す（ステップＳ１０１）。
【００３４】
続いて、管理部４１ｂは、当該読出された状態情報４１ｃ内の電源情報がオン状態を示し、かつ当該読出された状態情報内の出力先情報が出力先のない旨を示す状態情報が存在するか否かを判定する（ステップＳ１０２）。
【００３５】
なお、ステップＳ１０２の判定の結果が否を示す場合（ステップＳ１０２：「Ｎｏ」）には、ステップＳ１０１の処理に戻り、一定時間経過後、再度ステップＳ１０１の処理を実行する。
【００３６】
ステップＳ１０２の判定の結果が存在する旨を示す場合（ステップＳ１０２：「Ｙｅｓ」）には、管理部４１ｂは、当該状態情報内の画像撮影装置ＩＤ“ｉ”により特定される画像撮影装置１０ｉの電源をオフ状態に切り替えるための電源制御信号をＷｅｂサーバ部４２に送出する（ステップＳ１０３）。ここでは、管理部４１ｂは、図３に一例を示す如き、画像撮影装置ＩＤ「５」，「６」の行の状態情報が、ステップＳ１０２の条件に該当するため（すなわち、「−（空欄）」を示すため）、画像撮影装置ＩＤ「５」，「６」により特定される画像撮影装置１０５，１０６（図示せず）の電源をオフ状態に切り替えるための電源制御信号をＷｅｂサーバ部４２に送出する。
【００３７】
しかる後に、Ｗｅｂサーバ部４２は、当該送出された電源制御信号を受けると、当該電源制御信号を画像撮影装置１０５，１０６に送出した後に（ステップＳ１０４）、ステップＳ１０１の処理に戻り、一定時間経過後、再度ステップＳ１０１の処理を実行する。
【００３８】
なお、画像撮影装置１０５，１０６内の電源制御部１４５，１４６（図示せず）は、ステップＳ１０４において送出された電源制御信号を受けると、当該電源制御信号に従って、画像撮影装置１０５，１０６の電源をオフ状態に切り替える処理を実行する。また、画像撮影装置１０５，１０６内の電源制御部１４５，１４６は、電源をオフ状態に切り替えると、当該電源をオフ状態に切り替えた旨を示す切替結果情報を撮影サーバ装置４０に送信する処理を実行する。
【００３９】
撮影サーバ装置４０においては、管理部４１ｂが、この切替結果情報に基づいて、記憶部４１ａ内の電源情報を“オフ状態”に更新する。
【００４０】
なお、本実施形態では、各画像撮影装置１０１〜１０ｎが電源制御部１４１〜１４ｎを備えたシステム構成としたが、これに限定されず、例えば、各画像撮影装置１０１〜１０ｎのうち、一部の画像撮影装置が電源制御部を備えるシステム構成等が適用可能である。この場合、撮影サーバ装置４０内の状態管理部４１において、電源制御部の有無についても管理する必要があり、例えば、記憶部４１ａに記憶される状態情報が電源制御部情報等を含むことで、画像撮影装置内の電源制御部の有無を管理することができる。これにより、同実施形態に示す画像撮影装置と、従来の画像撮影装置とを併用したシステム構成を実現することができる。
【００４１】
以上説明した一実施形態によれば、各画像撮影装置１０１〜１０ｎの電源状態を示す電源情報と各画像撮影装置１０１〜１０ｎから出力されるデジタル画像信号の出力先を示す出力先情報とを管理する状態管理部４１を備える撮影サーバ装置４０と、撮影サーバ装置４０から送出される電源制御信号に従って、画像撮影装置の電源状態を切り替える電源制御部１４１〜１４ｎを備える画像撮影装置１０１〜１０ｎとを備えた構成により、伝送負荷を軽減しつつも、特定の画像撮影装置の電源をオン状態からオフ状態に切り替えることができる。
【００４２】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１…撮影制御システム、１０１〜１０ｎ…画像撮影装置、１１１〜１１ｎ…撮影部、１２１〜１２ｎ…エンコーダ部、１３１〜１３ｎ…動作制御部、１４１〜１４ｎ…電源制御部、２０２〜２０ｍ…モニタ装置、２１２〜２１ｍ…デコーダ部、２２２〜２２ｍ…表示部、３０…操作端末、４０…撮影サーバ装置、４１…状態管理部、４１ａ…記憶部、４１ｂ…管理部、４１ｃ…状態情報、４２…Ｗｅｂサーバ部、４３…サーバ部、４４…ＣＧＩ部。
【図１】
2013062591.tif 000003
【図２】
2013062591.tif 000004
【図３】
2013062591.tif 000005
【図４】
2013062591.tif 000006